(57)【要約】【課題】挟み込まれた畦土は側面整畦部及び上面整畦部において畦の角部近傍位置に移送され、畦の角部近傍位置の盛土量が増加し、盛土量の増加により畦の角部近傍位置の締圧を良好に行うことができる。【解決手段】側面整畦部１７ａの各圧締面部Ｋ・Ｋ・・は、圧締板体Ｇを圧締する圧締面部の圧締部位Ｋ１が回転整畦体１７の圧接回転に連れて側面整畦部の外方端部Ｔ１側から次第に側面整畦部と上面整畦部１７ｂとの連設部分に臨む内方端部Ｔ２側に移行して圧締可能に形成され、上面整畦部の各圧締面部は、圧締板体を圧締する圧締面部の圧締部位が回転整畦体の圧接回転に連れて上面整畦部の外方端部Ｔ３側から次第に側面整畦部と上面整畦部との連設部分に臨む内方端部Ｔ４側に移行して圧締可能に形成されてなる。【選択図】図４
2014230522.tif 000002
【特許請求の範囲】
【請求項１】
走行機体に連結機構により機枠を連結し、該機枠に旧畦上に土を盛り上げる盛土機構を設け、該盛土機構の進行方向後方位置に畦面を圧接回転により回転整畦可能な回転整畦体からなる整畦機構を設け、該回転整畦体は畦の一方側面を整畦可能な側面整畦部及び畦の上面を整畦可能な上面整畦部からなり、該回転整畦体の外周面部分に圧締面部を間隔を置いて複数個形成すると共に隣り合う圧締面部の間に通穴を形成し、該回転整畦体の回転方向前方位置の圧締面部側から隣り合う後方位置の圧締面部に至る可撓弾性をもつ圧締板体を配設し、該回転方向前方位置の圧締板体を隣り合う後方位置の圧締面部で圧締可能に形成されてなり、上記回転整畦体の側面整畦部の各圧締面部は、上記圧締板体を圧締する圧締面部の圧締部位が該回転整畦体の圧接回転に連れて該側面整畦部の外方端部側から次第に上記側面整畦部と該上面整畦部との連設部分に臨む内方端部側に移行して圧締可能に形成され、かつ、上記回転整畦体の上面整畦部の各圧締面部は、上記圧締板体を圧締する圧締面部の圧締部位が該回転整畦体の圧接回転に連れて該上面整畦部の外方端部側から次第に上記側面整畦部と該上面整畦部との連設部分に臨む内方端部側に移行して圧締可能に形成されていることを特徴とする整畦機。
【請求項２】
上記回転整畦体の側面整畦部は、上記外方端部及び内方端部にリング材が配設され、該両リング材の間に複数個の桟材が間隔を置いて固着され、該桟材を上記圧締面部に形成すると共に隣り合う圧締面部の間を上記通穴として形成し、該回転方向前方位置の圧締面部側から隣り合う後方位置の圧締面部に至る可撓弾性をもつ圧締板体を配設し、該桟材は該回転整畦体の回転軸線に対して略右螺子状に傾設され、かつ、上記回転整畦体の上面整畦部は、上記外方端部及び内方端部にリング材が配設され、該両リング材の間に複数個の桟材が間隔を置いて固着され、該桟材を上記圧締面部に形成すると共に隣り合う圧締面部の間を上記通穴として形成し、該回転方向前方位置の圧締面部側から隣り合う後方位置の圧締面部に至る可撓弾性をもつ圧締板体を配設し、該桟材は該回転整畦体の回転軸線に対して略左螺子状に傾設されてなることを特徴とする請求項１記載の整畦機。
【請求項３】
走行機体に連結機構により機枠を連結し、該機枠に旧畦上に土を盛り上げる盛土機構を設け、該盛土機構の進行方向後方位置に畦面を圧接回転により回転整畦可能な回転整畦体からなる整畦機構を設け、該回転整畦体は畦の一方側面を整畦可能な側面整畦部及び畦の上面を整畦可能な上面整畦部からなり、該回転整畦体の外周面部分に圧締面部を間隔を置いて複数個形成すると共に隣り合う圧締面部の間に通穴を形成し、該回転整畦体の回転方向前方位置の圧締面部側から隣り合う後方位置の圧締面部に至る可撓弾性をもつ圧締板体を配設し、該回転方向前方位置の圧締板体を隣り合う後方位置の圧締面部で圧締可能に形成されてなり、上記回転整畦体の側面整畦部の各圧締面部は、上記圧締板体を圧締する圧締面部の圧締部位が該回転整畦体の圧接回転に連れて該側面整畦部の外方端部側から次第に上記側面整畦部と該上面整畦部との連設部分に臨む内方端部側に移行して圧締可能に形成されていることを特徴とする整畦機。
【請求項４】
上記回転整畦体の側面整畦部は、上記外方端部及び内方端部にリング材が配設され、該両リング材の間に複数個の桟材が間隔を置いて固着され、該桟材を上記圧締面部に形成すると共に隣り合う圧締面部の間を上記通穴として形成し、該回転方向前方位置の圧締面部側から隣り合う後方位置の圧締面部に至る可撓弾性をもつ圧締板体を配設し、該桟材は該回転整畦体の回転軸線に対して略右螺子状に傾設されてなることを特徴とする請求項３記載の整畦機。
【請求項５】
走行機体に連結機構により機枠を連結し、該機枠に旧畦上に土を盛り上げる盛土機構を設け、該盛土機構の進行方向後方位置に畦面を圧接回転により回転整畦可能な回転整畦体からなる整畦機構を設け、該回転整畦体は畦の一方側面を整畦可能な側面整畦部及び畦の上面を整畦可能な上面整畦部からなり、該回転整畦体の外周面部分に圧締面部を間隔を置いて複数個形成すると共に隣り合う圧締面部の間に通穴を形成し、該回転整畦体の回転方向前方位置の圧締面部側から隣り合う後方位置の圧締面部に至る可撓弾性をもつ圧締板体を配設し、該回転方向前方位置の圧締板体を隣り合う後方位置の圧締面部で圧締可能に形成されてなり、上記回転整畦体の上面整畦部の各圧締面部は、上記圧締板体を圧締する圧締面部の圧締部位が該回転整畦体の圧接回転に連れて該上面整畦部の外方端部側から次第に上記側面整畦部と該上面整畦部との連設部分に臨む内方端部側に移行して圧締可能に形成されていることを特徴とする整畦機。
【請求項６】
上記回転整畦体の上面整畦部は、上記外方端部及び内方端部にリング材が配設され、該両リング材の間に複数個の桟材が間隔を置いて固着され、該桟材を上記圧締面部に形成すると共に隣り合う圧締面部の間を上記通穴として形成し、該回転方向前方位置の圧締面部側から隣り合う後方位置の圧締面部に至る可撓弾性をもつ圧締板体を配設し、該桟材は該回転整畦体の回転軸線に対して略左螺子状に傾設されてなることを特徴とする請求項５記載の整畦機。
【発明の詳細な説明】
【技術分野】
【０００１】
本発明は、例えば畦の造成作業や修復作業等に用いられる整畦機に関するものである。
【背景技術】
【０００２】
従来、この種の整畦機として、走行機体に連結機構により機枠を連結し、該機枠に旧畦上に土を盛り上げる盛土機構を設け、該盛土機構の進行方向後方位置に畦面を圧接回転により回転整畦可能な回転整畦体からなる整畦機構を設け、該回転整畦体は畦の一方側面を整畦可能な側面整畦部及び畦の上面を整畦可能な上面整畦部からなり、該回転整畦体の外周面部分に圧締面部を間隔を置いて複数個形成すると共に隣り合う圧締面部の間に通穴を形成し、該回転整畦体の回転方向前方位置の圧締面部側から隣り合う後方位置の圧締面部に至る可撓弾性をもつ圧締板体を配設し、該回転方向前方位置の圧締板体を隣り合う後方位置の圧締面部で圧締可能に形成した構造のものが知られている。
【先行技術文献】
【特許文献】
【０００３】
【特許文献１】特許第４１５４５４５号
【発明の概要】
【発明が解決しようとする課題】
【０００４】
しかしながら上記従来構造の場合、畦の一方側面と畦の上面とが交差する畦の角部近傍位置において、地方により相異する畦の土質や天候等の作業条件等が相俟って、必ずしも、満足した圧締整畦状態を行い得ないことがあるという不都合を有している。
【課題を解決するための手段】
【０００５】
本発明はこのような不都合を解決することを目的とするもので、本発明のうちで、請求項１記載の発明は、走行機体に連結機構により機枠を連結し、該機枠に旧畦上に土を盛り上げる盛土機構を設け、該盛土機構の進行方向後方位置に畦面を圧接回転により回転整畦可能な回転整畦体からなる整畦機構を設け、該回転整畦体は畦の一方側面を整畦可能な側面整畦部及び畦の上面を整畦可能な上面整畦部からなり、該回転整畦体の外周面部分に圧締面部を間隔を置いて複数個形成すると共に隣り合う圧締面部の間に通穴を形成し、該回転整畦体の回転方向前方位置の圧締面部側から隣り合う後方位置の圧締面部に至る可撓弾性をもつ圧締板体を配設し、該回転方向前方位置の圧締板体を隣り合う後方位置の圧締面部で圧締可能に形成されてなり、上記回転整畦体の側面整畦部の各圧締面部は、上記圧締板体を圧締する圧締面部の圧締部位が該回転整畦体の圧接回転に連れて該側面整畦部の外方端部側から次第に上記側面整畦部と該上面整畦部との連設部分に臨む内方端部側に移行して圧締可能に形成され、かつ、上記回転整畦体の上面整畦部の各圧締面部は、上記圧締板体を圧締する圧締面部の圧締部位が該回転整畦体の圧接回転に連れて該上面整畦部の外方端部側から次第に上記側面整畦部と該上面整畦部との連設部分に臨む内方端部側に移行して圧締可能に形成されていることを特徴とする整畦機にある。
【０００６】
又、請求項２記載の発明は、上記回転整畦体の側面整畦部は、上記外方端部及び内方端部にリング材が配設され、該両リング材の間に複数個の桟材が間隔を置いて固着され、該桟材を上記圧締面部に形成すると共に隣り合う圧締面部の間を上記通穴として形成し、該回転方向前方位置の圧締面部側から隣り合う後方位置の圧締面部に至る可撓弾性をもつ圧締板体を配設し、該桟材は該回転整畦体の回転軸線に対して略右螺子状に傾設され、かつ、上記回転整畦体の上面整畦部は、上記外方端部及び内方端部にリング材が配設され、該両リング材の間に複数個の桟材が間隔を置いて固着され、桟材を上記圧締面部に形成すると共に隣り合う圧締面部の間を上記通穴として形成し、回転方向前方位置の圧締面部側から隣り合う後方位置の圧締面部に至る可撓弾性をもつ圧締板体を配設し、該桟材は該回転整畦体の回転軸線に対して略左螺子状に傾設されてなることを特徴とするものである。
【０００７】
又、請求項３記載の発明は、走行機体に連結機構により機枠を連結し、該機枠に旧畦上に土を盛り上げる盛土機構を設け、該盛土機構の進行方向後方位置に畦面を圧接回転により回転整畦可能な回転整畦体からなる整畦機構を設け、該回転整畦体は畦の一方側面を整畦可能な側面整畦部及び畦の上面を整畦可能な上面整畦部からなり、該回転整畦体の外周面部分に圧締面部を間隔を置いて複数個形成すると共に隣り合う圧締面部の間に通穴を形成し、該回転整畦体の回転方向前方位置の圧締面部側から隣り合う後方位置の圧締面部に至る可撓弾性をもつ圧締板体を配設し、該回転方向前方位置の圧締板体を隣り合う後方位置の圧締面部で圧締可能に形成されてなり、上記回転整畦体の側面整畦部の各圧締面部は、上記圧締板体を圧締する圧締面部の圧締部位が該回転整畦体の圧接回転に連れて該側面整畦部の外方端部側から次第に上記側面整畦部と該上面整畦部との連設部分に臨む内方端部側に移行して圧締可能に形成されていることを特徴とする整畦機にある。
【０００８】
又、請求項４記載の発明は、上記回転整畦体の側面整畦部は、上記外方端部及び内方端部にリング材が配設され、該両リング材の間に複数個の桟材が間隔を置いて固着され、該桟材を上記圧締面部に形成すると共に隣り合う圧締面部の間を上記通穴として形成し、該回転方向前方位置の圧締面部側から隣り合う後方位置の圧締面部に至る可撓弾性をもつ圧締板体を配設し、該桟材は該回転整畦体の回転軸線に対して略右螺子状に傾設されてなることを特徴とするものである。
【０００９】
又、請求項５記載の発明は、走行機体に連結機構により機枠を連結し、該機枠に旧畦上に土を盛り上げる盛土機構を設け、該盛土機構の進行方向後方位置に畦面を圧接回転により回転整畦可能な回転整畦体からなる整畦機構を設け、該回転整畦体は畦の一方側面を整畦可能な側面整畦部及び畦の上面を整畦可能な上面整畦部からなり、該回転整畦体の外周面部分に圧締面部を間隔を置いて複数個形成すると共に隣り合う圧締面部の間に通穴を形成し、該回転整畦体の回転方向前方位置の圧締面部側から隣り合う後方位置の圧締面部に至る可撓弾性をもつ圧締板体を配設し、該回転方向前方位置の圧締板体を隣り合う後方位置の圧締面部で圧締可能に形成されてなり、上記回転整畦体の上面整畦部の各圧締面部は、上記圧締板体を圧締する圧締面部の圧締部位が該回転整畦体の圧接回転に連れて該上面整畦部の外方端部側から次第に上記側面整畦部と該上面整畦部との連設部分に臨む内方端部側に移行して圧締可能に形成されていることを特徴とする整畦機にある。
【００１０】
又、請求項６記載の発明は、上記回転整畦体の上面整畦部は、上記外方端部及び内方端部にリング材が配設され、該両リング材の間に複数個の桟材が間隔を置いて固着され、該桟材を上記圧締面部に形成すると共に隣り合う圧締面部の間を上記通穴として形成し、該回転方向前方位置の圧締面部側から隣り合う後方位置の圧締面部に至る可撓弾性をもつ圧締板体を配設し、該桟材は該回転整畦体の回転軸線に対して略左螺子状に傾設されてなることを特徴とするものである。
【発明の効果】
【００１１】
本発明は上述の如く、請求項１記載の発明にあっては、走行機体を旧畦に沿って走行し、盛土機構が畦際の圃場泥土を旧畦上に連続的に盛り上げ、他方では走行機体を駆動源として整畦機構が駆動され、回転整畦体は回転機構により回転し、回転整畦体は畦の一方側面を整畦可能な側面整畦部及び畦の上面を整畦可能な上面整畦部からなり、回転整畦体の側面整畦部及び上面整畦部の外周面部分にそれぞれ圧締面部が間隔を置いて複数個形成され、隣り合う圧締面部の間に通穴が形成され、回転整畦体の側面整畦部及び上面整畦部の回転方向前方位置の圧締面部側から隣り合う後方位置の圧締面部に至る可撓弾性をもつ圧締板体が配設され、回転方向前方位置の圧締板体を隣り合う後方位置の圧締面部で圧締し、この回転整畦体の圧締により畦の一方側面及び上面は締圧され、回転整畦体の回転に伴い圧締板体は徐々に盛土を締圧すると共に圧締面部により圧締板体を介して強く締圧され、この複数個の圧締面部の存在により断続的に締圧され、複数個の圧締面部の存在により回転整畦体の全外周面で締圧する構造に比べて締圧面積が小さくなることにより締圧力を大きくすることができ、それだけ強固に畦を締め付けることができ、走行機体の走行速度に対して回転整畦体の回転速度を高めることにより回転整畦体の圧締板体は畦面に回転滑り接触し、この回転すべり接触により畦の一方側面及び畦の上面を円滑かつ強固に締圧整畦することができ、かつ、圧締板体は可撓弾性を有しているので、圧締板体は平ら状から撓み動作しつつ盛土を徐々に締圧することができ、盛土を確実に締圧することができ、一層堅牢な畦を得ることができ、上記隣り合う圧締面部の間に通穴を形成しているので、通穴により一層断続的に畦面を締圧することになり、それだけ強固に締圧することができると共に通穴の存在により回転整畦体の外周面部分への土の付着現象を抑制することができ、良好な整畦作業を行うことができ、この際、上記回転整畦体の側面整畦部の各圧締面部は、上記圧締板体を圧締する圧締面部の圧締部位が回転整畦体の圧接回転に連れて側面整畦部の外方端部側から次第に上記側面整畦部と上面整畦部との連設部分に臨む内方端部側に移行して圧締可能に形成され、かつ、上記回転整畦体の上面整畦部の各圧締面部は、上記圧締板体を圧締する圧締面部の圧締部位が回転整畦体の圧接回転に連れて上面整畦部の外方端部側から次第に上記側面整畦部と上面整畦部との連設部分に臨む内方端部側に移行して圧締可能に形成されているから、回転整畦体の回転に伴い圧締板体は平ら状から撓み動作し、通穴の存在による圧締板体の撓み動作により畦土が圧締板体により挟み込まれ、この挟み込まれた畦土は側面整畦部においては、その圧締面部の圧締部位が回転整畦体の圧接回転に連れて側面整畦部の外方端部側から次第に上記側面整畦部と上面整畦部との連設部分に臨む内方端部側に移行して圧締することにより畦の角部近傍位置に移送され、かつ、上面整畦部においては、その圧締面部の圧締部位が回転整畦体の圧接回転に連れて上面整畦部の外方端部側から次第に側面整畦部と上面整畦部との連設部分に臨む内方端部側に移行して圧締することにより畦の角部近傍位置に移送され、このそれぞれの畦土の移送により畦の角部近傍位置の盛土量が増加し、盛土量の増加により畦の角部近傍位置の締圧を良好に行うことができ、良好な締圧整畦作業を行うことができる。
【００１２】
又、請求項２記載の発明にあっては、上記回転整畦体の側面整畦部は、上記外方端部及び内方端部にリング材が配設され、両リング材の間に複数個の桟材が間隔を置いて固着され、桟材を上記圧締面部に形成すると共に隣り合う圧締面部の間を上記通穴として形成し、回転方向前方位置の圧締面部側から隣り合う後方位置の圧締面部に至る可撓弾性をもつ圧締板体を配設し、桟材は回転整畦体の回転軸線に対して略右螺子状に傾設され、かつ、上記回転整畦体の上面整畦部は、上記外方端部及び内方端部にリング材が配設され、両リング材の間に複数個の桟材が間隔を置いて固着され、桟材を上記圧締面部に形成すると共に隣り合う圧締面部の間を上記通穴として形成し、回転方向前方位置の圧締面部側から隣り合う後方位置の圧締面部に至る可撓弾性をもつ圧締板体を配設し、桟材は回転整畦体の回転軸線に対して略左螺子状に傾設されてなるから、圧締板体の撓み動作により挟み込まれた畦土は側面整畦部及び上面整畦部において、その圧締面部の圧締部位が回転整畦体の圧接回転に連れて側面整畦部及び上面整畦部の各外方端部側から次第に側面整畦部と上面整畦部との連設部分に臨む各内方端部側に移行して圧締することにより、それぞれ畦の角部近傍位置に移送され、盛土量の増加により畦の角部近傍位置の締圧を良好に行うことができると共に構造を簡素化することができる。
【００１３】
又、請求項３記載の発明にあっては、上記回転整畦体の側面整畦部の各圧締面部は、上記圧締板体を圧締する圧締面部の圧締部位が回転整畦体の圧接回転に連れて側面整畦部の外方端部側から次第に上記側面整畦部と上面整畦部との連設部分に臨む内方端部側に移行して圧締可能に形成されているから、回転整畦体の回転に伴い圧締板体は平ら状から撓み動作し、通穴の存在による圧締板体の撓み動作により畦土が圧締板体により挟み込まれ、この挟み込まれた畦土は側面整畦部においては、その圧締面部の圧締部位が回転整畦体の圧接回転に連れて側面整畦部の外方端部側から次第に上記側面整畦部と上面整畦部との連設部分に臨む内方端部側に移行して圧締することにより畦の角部近傍位置に移送され、この畦土の移送により畦の角部近傍位置の盛土量が増加し、盛土量の増加により畦の角部近傍位置の締圧を良好に行うことができ、良好な締圧整畦作業を行うことができる。
【００１４】
又、請求項４記載の発明にあっては、上記回転整畦体の側面整畦部は、上記外方端部及び内方端部にリング材が配設され、両リング材の間に複数個の桟材が間隔を置いて固着され、桟材を上記圧締面部に形成すると共に隣り合う圧締面部の間を上記通穴として形成し、回転方向前方位置の圧締面部側から隣り合う後方位置の圧締面部に至る可撓弾性をもつ圧締板体を配設し、桟材は回転整畦体の回転軸線に対して略右螺子状に傾設されてなるから、圧締板体の撓み動作により挟み込まれた畦土は側面整畦部において、その圧締面部の圧締部位が回転整畦体の圧接回転に連れて側面整畦部の外方端部側から次第に側面整畦部と上面整畦部との連設部分に臨む内方端部側に移行して圧締することにより、畦の角部近傍位置に移送され、盛土量の増加により畦の角部近傍位置の締圧を良好に行うことができると共に構造を簡素化することができる。
【００１５】
又、請求項５記載の発明にあっては、上記回転整畦体の上面整畦部の各圧締面部は、上記圧締板体を圧締する圧締面部の圧締部位が回転整畦体の圧接回転に連れて上面整畦部の外方端部側から次第に上記側面整畦部と上面整畦部との連設部分に臨む内方端部側に移行して圧締可能に形成されているから、回転整畦体の回転に伴い圧締板体は平ら状から撓み動作し、通穴の存在による圧締板体の撓み動作により畦土が圧締板体により挟み込まれ、挟み込まれた畦土は上面整畦部において、その圧締面部の圧締部位が回転整畦体の圧接回転に連れて上面整畦部の外方端部側から次第に上記側面整畦部と上面整畦部との連設部分に臨む内方端部側に移行して圧締することにより畦の角部近傍位置に移送され、この畦土の移送により畦の角部近傍位置の盛土量が増加し、盛土量の増加により畦の角部近傍位置の締圧を良好に行うことができ、良好な締圧整畦作業を行うことができる。
【００１６】
又、請求項６記載の発明にあっては、上記回転整畦体の上面整畦部は、上記外方端部及び内方端部にリング材が配設され、両リング材の間に複数個の桟材が間隔を置いて固着され、桟材を上記圧締面部に形成すると共に隣り合う圧締面部の間を上記通穴として形成し、回転方向前方位置の圧締面部側から隣り合う後方位置の圧締面部に至る可撓弾性をもつ圧締板体を配設し、桟材は回転整畦体の回転軸線に対して略左螺子状に傾設されてなるから、圧締板体の撓み動作により挟み込まれた畦土は上面整畦部において、その圧締面部の圧締部位が回転整畦体の圧接回転に連れて上面整畦部の外方端部側から次第に側面整畦部と上面整畦部との連設部分に臨む内方端部側に移行して圧締することにより、畦の角部近傍位置に移送され、盛土量の増加により畦の角部近傍位置の締圧を良好に行うことができると共に構造を簡素化することができる。
【図面の簡単な説明】
【００１７】
【図１】本発明の実施の第一形態例の全体側面図である。
【図２】本発明の実施の第一形態例の全体平面図である。
【図３】本発明の実施の第一形態例の全体後面図である。
【図４】本発明の実施の第一形態例の部分拡大後面図である。
【図５】本発明の実施の第一形態例の骨組拡大後面図である。
【図６】本発明の実施の第一形態例の骨組拡大説明図である。
【図７】本発明の実施の第一形態例の部分説明図である。
【図８】本発明の実施の第一形態例の概略説明図である。
【図９】本発明の実施の第二形態例の部分拡大後面図である。
【図１０】本発明の実施の第三形態例の部分拡大後面図である。
【発明を実施するための形態】
【００１８】
図１乃至図１０は本発明の実施の形態例を示し、図１乃至図８は請求項１、２に対応する第一形態例、図９は請求項３、４に対応する第二形態例、図１０は請求項５、６に対応する第三形態例である。
【００１９】
図１乃至図８の第一形態例において、１は走行機体であって、この場合、図１、図２の如く、トラクタが用いられ、走行機体１の後部に三点リンク式の連結機構２により機枠３を上下動可能に連結している。
【００２０】
この場合、上記連結機構２として、走行機体１の後部に下部リンク２ａ及び上部リンク２ｂにより機枠３を連結し、吊上リンク２ｃ及び油圧アーム２ｄにより機枠３を上下調節自在に連結する三点リンク式連結機構となっている。
【００２１】
４は盛土機構であって、この場合、図１、図２、図３の如く、盛土ロータ５により構成され、この盛土ロータ５はロータ胴５ａの外周に複数個の掻上刃５ｂ・・を突設すると共にロータ胴５ａに取付軸５ｃを突設してなり、上記機枠３に走行機体１の動力取出軸６により回転する主軸７を軸受すると共に機枠３に整畦機枠８を突設し、機枠３に伝導軸９を設けると共に整畦機枠８に駆動軸１０を突設し、主軸７と伝導軸９とを歯車機構１１により接続すると共に伝導軸９と駆動軸１０とを自在継手１２により連結し、整畦機枠８に回転横軸１３を回転自在に設け、回転横軸１３と駆動軸１０とを歯車機構１４により接続し、整畦機枠８に盛土ロータ５をその回転軸線Ｐを畦Ｗ造成方向と平行に配設し、盛土ロータ５の取付軸５ｃを回転横軸１３に連結し、機枠３に盛土ロータ５の上方及び畦Ｗの上方を覆う形状のカバー部材１５を設け、盛土ロータ５の回転により畦Ｗ際の圃場面Ｍの土を削出軌跡Ｎをもって削出して旧畦に向けて跳ね上げて盛り上げるように構成している。
【００２２】
１６は整畦機構であって、この場合、図４の如く、畦Ｗ面を外周面部分の圧接回転により回転整畦可能な回転整畦体１７と回転機構１８とからなり、回転整畦体１７は畦Ｗの一方側面Ｗ２を整畦可能な側面整畦部１７ａ及び畦Ｗの上面Ｗ１を整畦可能な上面整畦部１７ｂからなり、側面整畦部１７ａと上面整畦部１７ｂとを着脱自在に設け、回転整畦体１７の回転軸線Ｐを角度αで傾斜配置し、この回転整畦体１７を回転機構１８により回転軸線Ｐを中心として図中矢印方向に強制回転させるように構成している。
【００２３】
この場合、図４、図５の如く、回転整畦体１７としての側面整畦部１７ａ及び上面整畦部１７ｂの外周面部分に圧締面部Ｋ・Ｋを間隔を置いて複数個、この場合八個形成すると共に回転整畦体１７の回転方向前方位置の圧締面部Ｋ側から隣り合う後方位置の圧締面部Ｋの外面としての圧締部位Ｋ１に至る圧締板体Ｇを配設し、隣り合う圧締面部Ｋ・Ｋの間に通穴Ｆを形成し、回転方向前方位置の圧締板体Ｇを隣り合う後方位置の圧締面部Ｋで圧締可能に形成されている。
【００２４】
この場合、図１、図２、図３の如く、上記駆動軸１０に回転整畦体１７の中心に配置したロータ軸１７ｃを連結し、駆動軸１０の回転により回転整畦体１７を図中矢印方向に回転させ、回転整畦体１７の外周面部分の圧締面部Ｋによる圧締板体Ｇの回転圧締接触により畦Ｗの一方側面Ｗ２及び畦Ｗの上面Ｗ１を締圧整畦するように構成している。
【００２５】
又、上記回転整畦体１７としての側面整畦部１７ａは大径のリング材１９ａと小径のリング材１９ｂとの間に複数個の板状の桟材１９ｃ・・を間隔を置いて放射状に溶接固着すると共に各桟材１９ｃの内周面に補強リング１９ｄを溶接固着し、側面整畦部１７ａの中心に六角軸状の上記ロータ軸１７ｃが挿通固定される連結筒軸１９ｅを配置し、連結筒軸１９ｅと大径のリング材１９ａ及び小径のリング材１９ｂとの間に複数個の連結板１９ｆ・・を溶接連結し、これにより側面用骨組体１９を形成し、ロータ軸１７ｃに連結筒軸１９ｅを止着ピン１９ｇにより止着してなり、又、上面整畦部１７ｂは、大径のリング材２０ａと小径のリング材２０ｂとの間に複数個の板状の桟材２０ｃ・・を間隔を置いて放射状に溶接固着し、上面整畦部１７ｂの中心に六角軸状の上記ロータ軸１７ｃに挿通固定される連結筒軸２０ｄを配置し、連結筒軸２０ｄとリング材２０ａ及びリング材２０ｂとの間に複数個の連結杆２０ｅ・・を溶接連結し、これにより上面用骨組体２０を形成し、ロータ軸１７ｃに連結筒軸２０ｄを止着ピン２０ｆにより止着してなり、この複数個の桟材１９ｃ・２０ｃを圧締面部Ｋに形成すると共に隣り合う圧締面部Ｋ・Ｋの間を通穴Ｆとして形成し、圧締面部Ｋの外面を圧締部位Ｋ１とし、圧締面部Ｋにボルト及びナットからなる取付部Ｋ２により圧締板体Ｇの回転方向前方部位を取付け、止着ピン２０ｆをロータ軸１７ｃから抜脱して連結筒軸２０ｄを挿脱することにより上面整畦部１７ｂを側面整畦部１７ａに対して着脱自在に設けて構成している。
【００２６】
そして、上記回転整畦体１７の側面整畦部１７ａの各圧締面部Ｋ・Ｋ・・は、この場合、図６の如く、上記桟材１９ｃを回転整畦体１７の回転軸線Ｐに対して角度θ２の略右螺子状に傾設し、これにより上記圧締板体Ｇを圧締する圧締面部Ｋの圧締部位Ｋ１が回転整畦体１７の圧接回転に連れて側面整畦部１７ａの外方端部Ｔ１側から次第に上記側面整畦部１７ａと上面整畦部１７ｂとの連設部分に臨む内方端部Ｔ２側に移行して圧締可能に形成されている。
【００２７】
かつ、上記回転整畦体１７の上面整畦部１７ｂの各圧締面部Ｋ・Ｋ・・は、この場合、図６の如く、上記桟材２０ｃを回転整畦体１７の回転軸線Ｐに対して角度θ１の略左螺子状に傾設し、これにより上記圧締板体Ｇを圧締する圧締面部Ｋ・Ｋ・・の圧締部位Ｋ１・Ｋ１・・が回転整畦体１７の圧接回転に連れて上面整畦部１７ｂの外方端部Ｔ３側から次第に上記側面整畦部１７ａと上面整畦部１７ｂとの連設部分に臨む内方端部Ｔ４側に移行して圧締可能に形成されている。
【００２８】
この場合、圧締板体Ｇは可撓弾性を有するナイロン樹脂や塩化ビニール樹脂等の合成樹脂板により製作され、無負荷時には板状に略平らとなり、畦Ｗの圧締による外的負荷により弧状に撓み得ると共に負荷解除により自己弾性により略平らに復元変形する材質が用いられている。尚、圧締板体Ｇは板バネに用いられるバネ鋼製等の金属板材や他の樹脂板材を用いることもある。
【００２９】
２１は削土機構であって、この場合、図２の如く、カバー部材１５に保持枠２２を回転横軸１３と同軸線上に上下揺動自在に枢着し、上下揺動自在な保持枠２２を弾性支持可能な弾性支持機構２３を設け、保持枠２２の先端部にロータ軸２４を回転自在に取付け、ロータ軸２４に複数個のナギナタ状の刃体をもつ削土ロータ２５を取付け、回転横軸１３とロータ軸２４との間にチェーン機構２６を掛回し、上記盛土機構４の盛土ロータ５の進行方向前方位置の旧畦の上面部分を削土ロータ２５によって削出軌跡Ｓをもって回転削土するように構成している。
【００３０】
この実施の第一形態例は上記構成であるから、走行機体１を旧畦に沿って走行し、動力取出軸６を回転すると一方では盛土機構４の盛土ロータ５が畦Ｗ際の圃場泥土を旧畦上に連続的に跳ね上げて盛り上げ、カバー部材１５は盛土ロータ５の上方及び畦Ｗ側方への泥土飛散を防止し、跳ね上げられた泥土は外方飛散を防がれて自重落下し、他方では走行機体１の動力取出軸６を駆動源として整畦機構１６が駆動され、回転整畦体１７は回転機構１８により回転し、回転整畦体１７は畦Ｗの一方側面Ｗ２を整畦可能な側面整畦部１７ａ及び畦Ｗの上面Ｗ１を整畦可能な上面整畦部１７ｂからなり、回転整畦体１７の側面整畦部１７ａ及び上面整畦部１７ｂの外周面部分にそれぞれ圧締面部Ｋ・Ｋが間隔を置いて複数個形成され、隣り合う圧締面部Ｋ・Ｋ・・の間に通穴Ｆ・Ｆ・・が形成され、回転整畦体１７の側面整畦部１７ａ及び上面整畦部１７ｂの回転方向前方位置の圧締面部Ｋ側から隣り合う後方位置の圧締面部Ｋに至る可撓弾性をもつ圧締板体Ｇ・Ｇ・・が配設され、回転方向前方位置の圧締板体Ｇ・Ｇを隣り合う後方位置の圧締面部Ｋで圧締し、この回転整畦体１７の圧締により畦Ｗの一方側面Ｗ２及び上面Ｗ１は締圧され、図７、図８の如く、回転整畦体１７の図中矢印方向の回転方向Ｒとしての走行機体１の走行方向Ｑの前進を助長する方向の回転に伴い圧締板体Ｇは徐々に盛土を締圧すると共に圧締面部Ｋにより圧締板体Ｇを介して強く締圧され、この複数個の圧締面部Ｋ・・の存在により断続的に締圧され、複数個の圧締面部Ｋ・・の存在により回転整畦体１７の全外周面で締圧する構造に比べて締圧面積が小さくなることにより締圧力を大きくすることができ、それだけ強固に畦Ｗを締め付けることができ、走行機体１の走行速度に対して回転整畦体１７の回転速度を高めることにより回転整畦体１７の圧締板体Ｇは畦Ｗ面に回転滑り接触し、この回転すべり接触により畦Ｗの一方側面Ｗ２及び畦Ｗの上面Ｗ１を円滑かつ強固に締圧整畦することができ、かつ、圧締板体Ｇは可撓弾性を有しているので、圧締板体Ｇは平ら状から撓み動作しつつ盛土を徐々に締圧することができ、盛土を確実に締圧することができ、一層堅牢な畦Ｗを得ることができ、上記隣り合う圧締面部Ｋ・Ｋの間に通穴Ｆを形成しているので、通穴Ｆにより一層断続的に畦Ｗ面を締圧することになり、それだけ強固に締圧することができると共に通穴Ｆの存在により回転整畦体１７の外周面部分への土の付着現象を抑制することができ、良好な整畦作業を行うことができる。
【００３１】
この際、上記回転整畦体１７の側面整畦部１７ａの各圧締面部Ｋは、上記圧締板体Ｇを圧締する圧締面部Ｋの圧締部位Ｋ１が回転整畦体１７の圧接回転に連れて側面整畦部１７ａの外方端部Ｔ１側から次第に上記側面整畦部１７ａと上面整畦部１７ｂとの連設部分に臨む内方端部Ｔ２側に移行して圧締可能に形成され、かつ、上記回転整畦体１７の上面整畦部１７ｂの各圧締面部Ｋは、上記圧締板体Ｇを圧締する圧締面部Ｋの圧締部位Ｋ１が回転整畦体１７の圧接回転に連れて上面整畦部１７ｂの外方端部Ｔ３側から次第に上記側面整畦部１７ａと上面整畦部１７ｂとの連設部分に臨む内方端部Ｔ４側に移行して圧締可能に形成されているから、図７、図８の如く、走行機体１の走行速度に対して回転整畦体１７の回転速度を上げ、回転整畦体１７の外周部位の周速度を高めることにより回転整畦体１７の圧締板体Ｇは畦Ｗ面に回転滑り接触し、回転整畦体１７の図中矢印方向の回転方向Ｒとしての走行機体１の走行方向Ｑの前進を助長する方向の回転に伴い圧締板体Ｇは平ら状から撓み動作し、通穴Ｆの存在による圧締板体Ｇの撓み動作により畦土Ｗ４が圧締板体Ｇにより挟み込まれ、走行機体１の走行速度に対して回転整畦体１７の外周部位の周速度を高めたことにり、図８の破線に示す如く、この挟み込まれた畦土Ｗ４は進行方向後方に向けて掻き出すように押圧され、この挟み込まれた畦土Ｗ４は側面整畦部１７ａにおいては、その圧締面部Ｋの圧締部位Ｋ１が回転整畦体１７の圧接回転に連れて側面整畦部１７ａの外方端部Ｔ１側から次第に上記側面整畦部１７ａと上面整畦部１７ｂとの連設部分に臨む内方端部Ｔ２側に移行して圧締することにより畦Ｗの角部近傍位置Ｗ３に移送され、かつ、上面整畦部１７ｂにおいては、その圧締面部Ｋの圧締部位Ｋ１が回転整畦体１７の圧接回転に連れて上面整畦部１７ｂの外方端部Ｔ３側から次第に側面整畦部１７ａと上面整畦部１７ｂとの連設部分に臨む内方端部Ｔ４側に移行して圧締することにより畦Ｗの角部近傍位置Ｗ３に移送され、このそれぞれの畦土Ｗ４及び畦土Ｗ４の移送により畦Ｗの角部近傍位置Ｗ３の盛土量が増加し、盛土量の増加により畦Ｗの角部近傍位置Ｗ３の締圧を良好に行うことができ、良好な締圧整畦作業を行うことができる。
【００３２】
この場合、上記回転整畦体１７の側面整畦部１７ａは、上記外方端部Ｔ１及び内方端部Ｔ２にリング材１９ａ・１９ｂが配設され、両リング材１９ａ・１９ｂの間に複数個の桟材１９ｃ・・が間隔を置いて固着され、桟材１９ｃ・・を上記圧締面部Ｋ・・に形成すると共に隣り合う圧締面部Ｋ・・の間を上記通穴Ｆ・・として形成し、回転方向前方位置の圧締面部Ｋ側から隣り合う後方位置の圧締面部Ｋに至る可撓弾性をもつ圧締板体Ｇを配設し、桟材１９ｃは回転整畦体１７の回転軸線Ｐに対して略右螺子状に傾設され、かつ、上記回転整畦体１７の上面整畦部１７ｂは、上記外方端部Ｔ３及び内方端部Ｔ４にリング材２０ａ・２０ｂが配設され、両リング材２０ａ・２０ｂの間に複数個の桟材２０ｃが間隔を置いて固着され、桟材２０ｃを上記圧締面部Ｋ・・に形成すると共に隣り合う圧締面部Ｋの間を上記通穴Ｆとして形成し、回転方向前方位置の圧締面部Ｋ・・側から隣り合う後方位置の圧締面部Ｋに至る可撓弾性をもつ圧締板体Ｇを配設し、桟材２０ｃは回転整畦体１７の回転軸線Ｐに対して略左螺子状に傾設されてなるから、図７、図８の如く、圧締板体Ｇの撓み動作により挟み込まれた畦土Ｗ４・Ｗ４は側面整畦部１７ａ及び上面整畦部１７ｂにおいて、その圧締面部Ｋの圧締部位Ｋ１が回転整畦体１７の圧接回転に連れて側面整畦部１７ａ及び上面整畦部１７ｂの各外方端部Ｔ１・Ｔ３側から次第に上記側面整畦部１７ａと上面整畦部１７ｂとの連設部分に臨む各内方端部Ｔ２・Ｔ４側に移行して圧締することによりそれぞれ畦Ｗの角部近傍位置Ｗ３に移送され、盛土量の増加により畦Ｗの角部近傍位置Ｗ３の締圧を良好に行うことができると共に構造を簡素化することができる。
【００３３】
又、この場合、回転整畦体１７は畦Ｗの一方側面Ｗ２を回転整畦可能な側面整畦部１７ａ及び畦Ｗの上面Ｗ１を回転整畦可能な上面整畦部１７ｂからなり、この上面整畦部１７ｂを上記側面整畦部１７ａに対して着脱自在に設けて構成しているから、上面整畦部１７ｂを取り外すことにより高い畦Ｗの側面、道路や堤防の法面を締圧することができ、用途の融通性を高めることができ、又、この場合、削土機構２１により旧畦面を予め削土でき、この削土された畦Ｗ面上に盛土機構４により盛土することになるから、旧畦土と盛土との結着性を高めることができ、それだけ強固な畦Ｗを得ることができる。
【００３４】
図９の第二形態例は、回転整畦体１７の別例構造を示し、この場合、回転整畦体１７を構成する側面整畦部１７ａ及び上面整畦部１７ｂのうち、側面整畦部１７ａにおいては、上記第一形態例と同様な構造が採用され、これに対し、上面整畦部１７ｂにおいては、上面用骨組体２０に相当する骨組体に外周面を円錐面とする円錐筒体２０ｇを固着して構成されている。
【００３５】
この第二形態例においては、側面整畦部１７ａの圧締板体Ｇ・・による圧締及び上面整畦部１７ｂの円錐筒体２０ｇによる圧締により整畦作業がなされ、側面整畦部１７ａにおいて挟み込まれた畦土Ｗ４は、その圧締面部Ｋの圧締部位Ｋ１が回転整畦体１７の圧接回転に連れて側面整畦部１７ａの外方端部Ｔ１側から次第に上記側面整畦部１７ａと上面整畦部１７ｂとの連設部分に臨む内方端部Ｔ２側に移行して圧締することにより畦Ｗの角部近傍位置Ｗ３に移送され、角部近傍位置Ｗ３の盛土量の増加により畦Ｗの角部近傍位置Ｗ３の締圧を良好に行うことができる。
【００３６】
又、上記回転整畦体１７の側面整畦部１７ａは、上記外方端部Ｔ１及び内方端部Ｔ２にリング材１９ａ・１９ｂが配設され、両リング材１９ａ・１９ｂの間に複数個の桟材１９ｃ・・が間隔を置いて固着され、桟材１９ｃ・・を上記圧締面部Ｋ・・に形成すると共に隣り合う圧締面部Ｋ・・の間を上記通穴Ｆ・・として形成し、回転方向前方位置の圧締面部Ｋ側から隣り合う後方位置の圧締面部Ｋに至る可撓弾性をもつ圧締板体Ｇを配設し、桟材１９ｃは回転整畦体１７の回転軸線Ｐに対して略右螺子状に傾設されているから、圧締板体Ｇの撓み動作により挟み込まれた畦土Ｗ４は側面整畦部１７ａにおいて、その圧締面部Ｋの圧締部位Ｋ１が回転整畦体１７の圧接回転に連れて側面整畦部１７ａの外方端部Ｔ１側から次第に上記側面整畦部１７ａと上面整畦部１７ｂとの連設部分に臨む内方端部Ｔ２側に移行して圧締することによりそれぞれ畦Ｗの角部近傍位置Ｗ３に移送され、盛土量の増加により畦Ｗの角部近傍位置Ｗ３の締圧を良好に行うことができると共に構造を簡素化することができる。
【００３７】
図１０の第三形態例は、回転整畦体１７の別例構造を示し、この場合、回転整畦体１７を構成する側面整畦部１７ａ及び上面整畦部１７ｂのうち、上面整畦部１７ｂにおいては、上記第一形態例と同様な構造が採用され、これに対し、側面整畦部１７ａにおいては、側面用骨組体１９に相当する骨組体に外周面を円錐面とする円錐筒体１９ｈを固着して構成されている。
【００３８】
この第三形態例においては、側面整畦部１７ａの円錐筒体１９ｈの外周面の円錐面による圧締及び上面整畦部１７ｂの圧締板体Ｇ・・による圧締により整畦作業がなされ、上面整畦部１７ｂにおいて挟み込まれた畦土Ｗ４は、その圧締面部Ｋの圧締部位Ｋ１が回転整畦体１７の圧接回転に連れて上面整畦部１７ｂの外方端部Ｔ３側から次第に上記側面整畦部１７ａと上面整畦部１７ｂとの連設部分に臨む内方端部Ｔ４側に移行して圧締することにより畦Ｗの角部近傍位置Ｗ３に移送され、角部近傍位置Ｗ３の盛土量の増加により畦Ｗの角部近傍位置Ｗ３の締圧を良好に行うことができる。
【００３９】
又、上記回転整畦体１７の上面整畦部１７ｂは、上記外方端部Ｔ３及び内方端部Ｔ４にリング材２０ａ・２０ｂが配設され、両リング材２０ａ・２０ｂの間に複数個の桟材２０ｃ・・が間隔を置いて固着され、桟材２０ｃ・・を上記圧締面部Ｋ・・に形成すると共に隣り合う圧締面部Ｋ・・の間を上記通穴Ｆ・・として形成し、回転方向前方位置の圧締面部Ｋ側から隣り合う後方位置の圧締面部Ｋに至る可撓弾性をもつ圧締板体Ｇを配設し、桟材２０ｃは回転整畦体１７の回転軸線Ｐに対して略左螺子状に傾設されているから、圧締板体Ｇの撓み動作により挟み込まれた畦土Ｗ４は上面整畦部１７ｂにおいて、その圧締面部Ｋの圧締部位Ｋ１が回転整畦体１７の圧接回転に連れて側面整畦部上面整畦部１７ｂの外方端部Ｔ３側から次第に上記側面整畦部１７ａと上面整畦部１７ｂとの連設部分に臨む内方端部Ｔ４側に移行して圧締することによりそれぞれ畦Ｗの角部近傍位置Ｗ３に移送され、盛土量の増加により畦Ｗの角部近傍位置Ｗ３の締圧を良好に行うことができると共に構造を簡素化することができる。
【００４０】
尚、本発明は上記実施の形態例に限られるものではなく、圧締面部Ｋ及び通穴Ｆの個数や形状、圧締板体Ｇの大きさや材質等は適宜変更され、また、上記回転整畦体１７の回転軸線Ｐを角度αで傾斜配置しているが、傾斜配置せずに、回転軸線Ｐを水平に配置する構成を採用することもある。
【００４１】
また、上記実施の形態例においては、桟材１９ｃ・２０ｃを傾設して略右螺子状又は略左螺子状の圧締面部Ｋに形成しているが、別例構造として、桟材を傾設せずに、桟材の表面に隆起凸状部を形成し、この隆起凸状部を圧締面部Ｋに形成し、この隆起凸状部を略右螺子状又は略左螺子状に形成し、隆起凸状部の表面を圧接部位Ｋ１とする構造を採用し、これにより、回転整畦体の側面整畦部の各圧締面部を、圧締板体を圧締する圧締面部の圧締部位が回転整畦体の圧接回転に連れて側面整畦部の外方端部側から次第に側面整畦部と上面整畦部との連設部分に臨む内方端部側に移行して圧締可能に形成したり、上記回転整畦体の上面整畦部の各圧締面部を、上記圧締板体を圧締する圧締面部の圧締部位が回転整畦体の圧接回転に連れて上面整畦部の外方端部側から次第に上記側面整畦部と上面整畦部との連設部分に臨む内方端部側に移行して圧締可能に形成したりすることもある。
【００４２】
以上の如く、所期の目的を充分達成することができる。
【符号の説明】
【００４３】
Ｗ    畦
Ｗ１    上面
Ｗ２    一方側面
Ｐ    回転軸線
Ｋ    圧締面部
Ｋ１    圧締部位
Ｇ    圧締板体
Ｆ    通穴
Ｒ    回転方向
Ｔ１    外方端部
Ｔ２    内方端部
Ｔ３    外方端部
Ｔ４    内方端部
１    走行機体
２    連結機構
３    機枠
４    盛土機構
１６    整畦機構
１７    回転整畦体
１７ａ    側面整畦部
１７ｂ    上面整畦部
１９ａ    リング材
１９ｂ    リング材
１９ｃ    桟材
２０ａ    リング材
２０ｂ    リング材
２０ｃ    桟材
【図１】
2014230522.tif 000003
【図２】
2014230522.tif 000004
【図３】
2014230522.tif 000005
【図４】
2014230522.tif 000006
【図５】
2014230522.tif 000007
【図６】
2014230522.tif 000008
【図７】
2014230522.tif 000009
【図８】
2014230522.tif 000010
【図９】
2014230522.tif 000011
【図１０】
2014230522.tif 000012